(57)【特許請求の範囲】
【請求項１】
鍵のつまみ部を装着する嵌め孔を備えた偏平体であるつまみカバーの、少なくとも２つを組み付けて一体的に連結してなり、これら２つのつまみカバーを組み付けて一体的に連結するため、各つまみカバーの一の外面に横断面が円形の軸部を突設すると共に、この軸部の先端にフランジ部を一体に形成し、一方、各つまみカバーの、嵌め孔に関し一の外面とは反対側の他の外面に、上記軸部と摺動可能に係合する開口である軸受部及び軸部の差込み切欠とを連設した溝と、上記フランジ部と干渉しないように形成された空隙部とをつまみカバーの厚さ方向に連設して案内溝を形成すると共に、軸受部の開口端縁部内側の当接部を第１抜け止め手段とし、他方、上記軸受部及び差込み切欠の境界部分においてその幅寸法を軸部の直径よりやや小さくし、その幅狭部分で軸部を押え止めるようにして第２抜け止め手段を構成し、一のつまみカバーの軸部の先端を他のつまみカバーの差込み切欠から軸受部方向に差し込み、上記幅狭部分を弾性変形によって拡開させつつ軸部を軸受部に進入させることにより、一のつまみカバーと他のつまみカバーとを、軸部の中心軸を回動軸として相対回動可能に組み付けるようにしたことを特徴とするキーホルダ。
【発明の詳細な説明】
【０００１】
【発明の属する技術分野】
この発明は使い勝手のよい新規なキーホルダに関する。
【従来の技術】
従来の最も一般的なキーホルダでは、鍵はリング又はチェンに通してまとめてある。このような従来のキーホルダにおいては、鍵の不使用時、衣服のポケット又はハンドバッグ等の中で鍵が互にぶつかってガチャガチャ音がする。
【０００２】
また、１つの鍵を用いる時、他の鍵が操作の邪魔になることがあること、更にまた、表玄関、戸室のドア等複数の個所で次々と別の鍵を用いる場合、対応する鍵を選択することがかなり面倒なことなどの問題点があった。
【０００３】
【発明が解決しようとする課題】
この発明のキーホルダは、前述の問題点を悉く解決することを目的として提案されたものである。すなわち、鍵を使用していない収納時のポケット内又はハンドバッグ内等における発生騒音をなくすこと、１つの鍵を用いる時、他の鍵が邪魔にならず、それらを逆に把手として利用できるようにすること、及び、一まとまりとした複数の鍵をある順序で使用する時、それらの区別を容易に認識できるようにすること等を目的として提案されたものである。
【０００４】
【課題を解決するための手段】
上記の目的を達成するため、この発明は、鍵のつまみ部を装着する嵌め孔を備えた偏平体であるつまみカバーの、少なくとも２つを組み付けて一体的に連結してなり、これら２つのつまみカバーを組み付けて一体的に連結するため、各つまみカバーの一の外面に横断面が円形の軸部を突設すると共に、この軸部の先端にフランジ部を一体に形成し、一方、各つまみカバーの、嵌め孔に関し一の外面とは反対側の他の外面に、上記軸部と摺動可能に係合する開口である軸受部及び軸部の差込み切欠とを連設した溝と、上記フランジ部と干渉しないように形成された空隙部とをつまみカバーの厚さ方向に連設して案内溝を形成すると共に、軸受部の開口端縁部内側の当接部を第１抜け止め手段とし、他方、上記軸受部及び差込み切欠の境界部分においてその幅寸法を軸部の直径よりやや小さくし、その幅狭部分で軸部を押え止めるようにして第２抜け止め手段を構成し、一のつまみカバーの軸部の先端を他のつまみカバーの差込み切欠から軸受部方向に差し込み、上記幅狭部分を弾性変形によって拡開させつつ軸部を軸受部に進入させることにより、一のつまみカバーと他のつまみカバーとを、軸部の中心軸を回動軸として相対回動可能に組み付けるようにしたことを特徴とする。
【０００５】
【発明の実施の形態】
以下、図面に示す２つの実施例に基いてこの発明について説明する。
図１〜図５は第１実施例を、図６は第２実施例をそれぞれ示している、なお、図１、図２、図３及び図６において、符号３で示す鍵におけるウォード及び鍵山はいずれもその記載が省略してある。
【０００６】
この発明のキーホルダは、少くも２つのつまみカバー１を互に着脱可能に組み付けて構成される。図１〜図５に示す第１実施例では２つのつまみカバー１、１が組み付けてあり、図６に示す第２実施例では、３つのつまみカバー１、１及び１が組み付けてある。
【０００７】
第１実施例において、各つまみカバー１は、適当な弾性を有する比較的硬質なＡＢＳ樹脂、ポリプロピレンその他の合成樹脂材料で形成するを可とするが、適当な弾性を有する金属材料等他の材料で作ることもできる。
【０００８】
図示例では、つまみカバー１の正面形は矩形状に作られているが、その形は任意に形成してよい。
【０００９】
つまみカバー１における外面１１と他方の外面１２との間には鍵３のつまみ部３１を底部側から挿入して装着するための嵌め孔１３が設けてある。図中、符号３２は鍵３のステム部を示している。
【００１０】
図１（Ｄ）及び図５（Ａ）に明示するように、つまみカバー１の上部にはリング４又はチェン等を挿通させるための通し孔２４が設けてあり、その通し孔２４の縁部には止め片１４が一体に設けてある。
【００１１】
この止め片１４は嵌め孔１３に差込まれた鍵３のつまみ部３１における通し孔３３の縁部に係合し、つまみカバー１の嵌め孔１３から鍵３が抜け出すのを阻止している。
【００１２】
前記の止め片１４はつまみカバー１に対し鍵３のつまみ部３１を抜き差しする時は、弾性的に変形する。但し、つまみカバー１の嵌め孔１３が小さ目に作られた時は鍵３のつまみ部３１は摩擦力のみによって係着させることもでき、この場合止め片１４は省略し得る。
【００１３】
つまみカバー１に対し鍵３は着脱可能としてもよいし、接着剤等で固着させてもよい。後者の場合つまみカバー１及び鍵３は互いに半恒久的に結合されることになる。
【００１４】
また、つまみカバー１の一方の外面１１における中央部には横断面が円形を成す軸部１５が一体に又は別体として突設してあり、反対側の他方の外面１２における中央部には、別の同形のつまみカバー１の軸部１５が回転可能に嵌め込まれる軸受部１６が設けてある。軸受部１６は軸線に対する横断面が円形又は円の一部をなす受けを有する。
【００１５】
図示例のつまみカバー１にあっては、軸受部１６はその中心軸線と直角をなす方向に設けられた溝状をなす差込み切欠き１７に連続させてある。
【００１６】
あるつまみカバー１の軸部１５が別のつまみカバー１の軸受部１６に差込み切欠き１７を経て装着されると、軸部１５はその軸受部１６において回転可能とされる。
【００１７】
換言すれば、あるつまみカバー１とそれに組み付けられた別のつまみカバー１とは手指で操作することにより相対的な回転変位が可能であり、相互の角度位置は自由に変えられることになる。
【００１８】
そして、この角度位置は０°から３６０°の範囲で任意に変更でき、１つの鍵３が使用される時、その位置は収納基準位置から例えば９０°、１８０°又は２７０°等の角度をもって変えられる。
【００１９】
あるつまみカバー１の軸部１５は別のつまみカバー１の軸受部１６に対し抜き差し可能であるが、それらの装着状態（嵌め込み状態）を保持させるため、つまみカバー１の軸部１５とそれが装着される別のつまみカバー１の軸部１５との間には少くも１つの抜け止め手段１８、１８ａが備えられている。
【００２０】
図示例の複数のつまみカバー１の組立体においては、軸部１５の軸線方向の抜けを阻止する第１抜け止め手段１８及び軸部１５の軸線と直角方向（差込み切欠１７に向かう方向）の抜けを阻止する第２抜け止め手段１８ａが設けてある。
【００２１】
第１抜け止め手段１８は、一つのつまみカバー１における軸部１５の先端部に一体に設けたフランジ部１９と別のな１における軸受部１６の近傍の当接部２０とによって構成される。
【００２２】
また、第２抜け止め手段１８ａは、軸受部１６と差込み切欠１７との境界部分においてその幅寸法ａを軸部１５の直径よりやや小さくし、その幅狭部分で軸部１５を押さえ止めるようにして構成してある。
【００２３】
前記の幅狭部分で構成される第２抜け止め手段１８ａは、軸部１５が軸受部１６に対し着脱可能に抜き差しされる時は、幅狭部分の弾性変形により軸部１６への通過が許容される。
【００２４】
図示はしないが、つまみカバー１の軸部１５は他のつまみカバー１の軸受部１６に対し軸線方向に該軸部１５に一体に設けたフランジ部１９のような突部を弾性変形させつつ、強制的に押し込むようにしてもよい。
【００２５】
この場合、抜け止め手段１８は軸部１５軸線方向の抜けを阻止するものだけを設ければよく、差込み切欠１７は勿論設けることを要しない。
【００２６】
図中、符号２１はつまみカバー１における軸部１５の先端面に一体に設けた任意数の突起で他のつまみカバー１における軸受部１６の近傍の対向面２２に摺接して、使用状態に展開された鍵３の角度位置を摩擦により保持させるものである。
【００２７】
また、符号２３は、前記の対向面２２に設けた逃がし溝で、鍵３が収納状態に戻された時、その鍵３が装着されたつまみカバー１における突起２１がクリック作用を呈しつつ嵌まり込むものである。この逃がし溝２４は例えば９０°の角度間隔で複数本設けることもできる。
【００２８】
なお、１つの組立体における複数の単位組立体１、１として、互いに異なる色が施されたもの、又は互いに異なるマークガ施されたものを用いると、鍵３の選択又は区別の上で有利である。
【００２９】
次に、上記構成のこの発明のキーホルダの使用について図１及び図２を参照して説明する。
【００３０】
図１は２つの鍵３を共に使用していない収納時を示しており、２つの鍵３を含むキーホルダの全体はコンパクトに折り畳まれている。
【００３１】
ここで、図２に示すように、使用しようとする鍵３をその鍵３を保持するつまみカバー１と共に手指で軸部１５の中心軸線の回りに例えば１８０°回動変位させる。そして、所望の鍵３が使用位置に展開されたら、つまみカバー１及び他の鍵３のステム部３１を手で持って対応する錠に対し施解錠操作を行う。
【００３２】
施解錠させるべき錠が表玄関及び戸室のドア等のように続いて存在している時は、他の鍵３が使えるように持ち換えて後続の錠に対し施解錠操作を行う。
【００３３】
所望の鍵３を使用した後は折り畳んで図１の収納状態に戻して保管することは言うまでもない。
【００３４】
図６に示す第２実施例において、図１〜図５に示す第２実施例と同一の符号で指し示す部材は互いに等効の部材を表している。
【００３５】
そして、図６の第２実施例においては、それぞれ異なる鍵３が装着された３つのつまみカバー１が組み付けられていることが第１実施例と異なるだけで、な１の構造は全く同一であり、使用についても上記の第１実施例のそれに準ずるので、ここではその詳しい説明は省略する。
【００３６】
【発明の効果】
以上に説明したこの発明のキーホルダによれば、鍵の使用時又は収納時のいずれであっても、複数の鍵がぶつかり合ってガチャガチャと音を発生させるようなことがない。
【００３７】
また、鍵を使用していない収納時複数の鍵は折り畳まれるようにして小さくまとめられるので、収納において便利である。
【００３８】
更にまた、１つの鍵を用いる時、他の鍵が邪魔にならず、むしろそれらを把手として利用できる。
【００３９】
加えて、複数のつまみカバーと共に１つの組立体を構成する複数の鍵は、収納基準位置から９０°、１８０°／及び又は２７０°のように角度を変えて変位展開することができるので、ある順序に従って使用する時、その区別ができ便利である、等種々の効果を奏する。
【図面の簡単な説明】
【図１】  この発明のキーホルダの第１実施例を収納状態で示す図で、（Ａ）は正面図、（Ｂ）は側面図、（Ｃ）は背面図、（Ｄ）は部分縦断側面図である。
【図２】  第１実施例を鍵の使用状態で示す図で、（Ａ）は正面図、（Ｂ）は側面図である。但し、これらの図においてリングは記載が省略されている。
【図３】  第１実施例のキーホルダから取り外した１つのつまみカバーとそれに装着された１つの鍵の組をを示す図で、（Ａ）は平面図、（Ｂ）は正面図、（Ｃ）は側面図、（Ｄ）は背面図、（Ｅ）は底面図である。
【図４】  第１実施例から取り外した１つのつまみカバーのみを示す図で、（Ａ）は平面図、（Ｂ）は正面図、（Ｃ）は側面図、（Ｄ）は背面図、（Ｅ）は底面図である。
【図５】  １つのつまみカバーを断面で示す図で、（Ａ）は図４にＶＡ−ＶＡ線による縦断側面図、（Ｂ）は図４のＶＢ−ＶＢ線による縦断背面図、（Ｃ）は図４のＶＣ−ＶＣ線による縦断背面図である。
【図６】  この発明のキーホルダの第２実施例を収納状態において示す図で、（Ａ）は正面図、（Ｂ）は側面図である。
【符号の説明】
１  つまみカバー
１１  一方の外面
１２  他方の外面
１３  嵌め孔
１５  軸部
１６  軸受部
１８  抜け止め手段
３  鍵
３１  つまみ部
【図１】
0003909722.tif 000002
【図２】
0003909722.tif 000003
【図３】
0003909722.tif 000004
【図４】
0003909722.tif 000005
【図５】
0003909722.tif 000006
【図６】
0003909722.tif 000007